(57)【要約】【課題】  検索結果から必要な情報を効率的に探し、収集、保存し、保存した情報を容易に閲覧可能とする情報保存システム等を提供する。【解決手段】  サーバ１０１は、検索入力画面５０１で入力された検索キーワードにより検索した検索結果一覧画面５０２から選択した情報の詳細情報画面５０３を端末装置１０３に別ウインドウで提供する。サーバ１０１は、保存要求に対して、情報と共に検索キーワード３１３と保存日付３１４を取得情報データベース３０１に保存する。サーバ１０１は、取得情報データベース３０１から検索キーワード３１３に基づいた保存情報一覧である保存情報画面５１１と保存日付３１４に基づいた保存情報の一覧である保存情報画面５１２を提供し、保存情報の検索結果一覧から選択した情報の詳細情報画面５２１を別ウインドウで提供する。【選択図】  図５
2005165500.tif 000002
【特許請求の範囲】
【請求項１】
利用者の端末装置と、ネットワークを介して接続されるサーバであって、
前記端末装置から入力された検索キーワードで検索した検索結果一覧から選択した情報を前記端末装置に別ウインドウで提供する情報提供手段と、
前記情報の保存要求に対して、前記情報と共に、前記検索キーワードと保存日付を保存情報としてデータベースに保存する保存手段と、
前記保存情報の閲覧要求に対して、前記データベースから、前記検索キーワードに基づいた保存情報と、前記保存日付に基づいた保存情報を前記端末装置に提供する保存情報提供手段と、
を具備することを特徴とするサーバ。
【請求項２】
保存して閉じるボタンを押下することにより、前記データベースに前記情報を保存し、前記別ウインドウを閉じることを特徴とする請求項１に記載のサーバ。
【請求項３】
前記保存情報提供手段は、
選択した保存情報を別ウインドウで前記端末装置に提供することを特徴とする請求項１に記載のサーバ。
【請求項４】
前記データベースの前記保存情報を分析し、前記利用者に興味のありそうな新たな情報を選択して前記端末装置に提供する情報推薦手段、
を更に具備することを特徴とする請求項１に記載のサーバ。
【請求項５】
前記端末装置からの要求に応じて、前記保存情報を前記データベースから削除する削除手段、
を更に具備することを特徴とする請求項１に記載のサーバ。
【請求項６】
前記保存情報は、情報タイトル、詳細情報、検索キーワード、保存日付等の情報を少なくとも１つ含むことを特徴とする請求項１に記載のサーバ。
【請求項７】
利用者の端末装置と、サーバと、がネットワークを介して接続されるシステムであって、
前記サーバは、
前記端末装置から入力された検索キーワードで検索した検索結果一覧から選択した情報を前記端末装置に別ウインドウで提供する情報提供手段と、
前記情報の保存要求に対して、前記情報と共に、前記検索キーワードと保存日付を保存情報としてデータベースに保存する保存手段と、
前記保存情報の閲覧要求に対して、前記データベースから、前記検索キーワードに基づいた保存情報と、前記保存日付に基づいた保存情報を前記端末装置に提供する保存情報提供手段と、
を具備することを特徴とする情報保存システム。
【請求項８】
端末装置を用いて、情報を保存する情報保存システムであって、
入力された検索キーワードで検索した検索結果一覧から選択した情報を別ウインドウで表示する情報表示手段と、
前記情報の保存要求に対して、前記情報と共に、前記検索キーワードと保存日付を保存情報としてデータベースに保存する保存手段と、
前記保存情報の閲覧要求に対して、前記データベースから、前記検索キーワードに基づいた保存情報と、前記保存日付に基づいた保存情報を表示する保存情報表示手段と、
を具備することを特徴とする情報保存システム。
【請求項９】
コンピュータを請求項１から請求項６のいずれかに記載のサーバとして機能させるプログラム。
【請求項１０】
コンピュータを請求項１から請求項６のいずれかに記載のサーバとして機能させるプログラムを記録した記録媒体。
【請求項１１】
コンピュータを請求項８記載の情報保存システムとして機能させるプログラム。
【請求項１２】
コンピュータを請求項８記載の情報保存システムとして機能させるプログラムを記録した記録媒体。
【発明の詳細な説明】
【技術分野】
【０００１】
本発明は、情報データベースを用いて情報検索を行い、検索結果から必要な情報を閲覧、保存する情報保存システム等に関する。
【背景技術】
【０００２】
従来、Ｗｅｂ（Ｗｏｒｌｄ  Ｗｉｄｅ  Ｗｅｂ）やアプリケーションで必要な情報を得るために多くの検索システムが利用されている。これらの検索システムでは、次の２段階の処理を行い必要な情報を取得する。
（１）検索キーワード等を入力しＷｅｂやアプリケーション内から検索システムを利用し情報を検索する。
（２）（１）の検索結果一覧からユーザが必要な情報を探す。
現状の検索システムでは、（１）については機能向上のために様々な研究がなされている。（２）の検索結果から必要な情報を効率的に探す機能、必要な情報をを効率的に収集し保存する機能等については、あまり実現されていないが、検索、分析に利用する情報を自動的に分類してデータベースに保存するシステム等が存在する（例えば、特許文献１参照）。
【０００３】
Ｗｅｂやアプリケーション内の検索システムを利用して検索結果から情報を探す時、ユーザは検索結果一覧の中から各情報の詳細を閲覧する。図１５は、従来の検索結果一覧画面１５０１と詳細情報画面１５０２の画面遷移を示す。図１５に示すように、詳細情報１５１２を表示するためには検索結果一覧から情報１５１１を選択しウインドウ内の画面を検索結果一覧画面１５０１から詳細情報画面１５０２にページ遷移する。検索結果一覧画面１５０１を再び表示する場合は、詳細情報画面１５０２からページ遷移して戻る。
詳細情報を利用する方法としては、「その場限りで情報を閲覧する」「情報のある場所を記憶する」「表示ウインドウの機能（Ｗｅｂブラウザ等）を使用して情報を保存する」等の処理を行う。
取得した情報を閲覧する時、情報を保存している場合は情報を呼び出す。また保存していない場合は再び検索処理を行う。
【特許文献１】特許３３６２１２５号公報
【発明の開示】
【発明が解決しようとする課題】
【０００４】
しかしながら、Ｗｅｂやアプリケーション内の検索システムでは、検索結果一覧から詳細情報を閲覧すると画面ページ自体が変わってしまい詳細情報と検索結果一覧を同時に閲覧することができない。また、詳細情報を同時に複数閲覧するためには別ウインドウを立ち上げる必要があった。
また、取得した情報を保存することは可能であるが、情報の保存や整理がユーザにとって面倒な作業となるため手軽に情報の保存、整理できるようにする必要があった。
更に、取得した情報を閲覧する時、再び同じ検索処理を行わずに、必要な情報をすぐに発見可能にする必要があった。
【０００５】
本発明は、以上の点に鑑みてなされたものであり、検索結果から必要な情報を効率的に探し、収集、保存し、保存した情報を容易に閲覧可能とする情報保存システム等を提供することを目的とする。
【課題を解決するための手段】
【０００６】
前述した目的を達成するために第１の発明は、利用者の端末装置と、ネットワークを介して接続されるサーバであって、前記端末装置から入力された検索キーワードで検索した検索結果一覧から選択した情報を前記端末装置に別ウインドウで提供する情報提供手段と、前記情報の保存要求に対して、前記情報と共に、前記検索キーワードと保存日付を保存情報としてデータベースに保存する保存手段と、前記保存情報の閲覧要求に対して、前記データベースから、前記検索キーワードに基づいた保存情報と、前記保存日付に基づいた保存情報を前記端末装置に提供する保存情報提供手段と、を具備することを特徴とするサーバである。
【０００７】
また、前記データベースの前記保存情報を分析し、前記利用者に興味のありそうな新たな情報を選択して前記端末装置に提供する情報推薦手段、を更に具備することが望ましい。
また、前記端末装置からの要求に応じて、前記保存情報を前記データベースから削除する削除手段、を更に具備することが望ましい。
【０００８】
第１の発明では、サーバは、端末装置から入力された検索キーワードで検索した検索結果一覧から選択した情報を端末装置に別ウインドウで提供し、情報の保存要求に対して、情報と共に、検索キーワードと保存日付を保存情報としてデータベースに保存し、保存情報の閲覧要求に対して、データベースから、検索キーワードに基づいた保存情報と、保存日付に基づいた保存情報を端末装置に提供する。
【０００９】
「保存情報」は、情報タイトル、詳細情報、検索キーワード、保存日付等の情報である。
「情報推薦手段」は、データベースの保存情報を分析し、利用者に興味のありそうな新たな情報を選択して端末装置に提供するリコメンデーションサービスである。
【００１０】
第２の発明は、利用者の端末装置と、サーバと、がネットワークを介して接続されるシステムであって、前記サーバは、前記端末装置から入力された検索キーワードで検索した検索結果一覧から選択した情報を前記端末装置に別ウインドウで提供する情報提供手段と、前記情報の保存要求に対して、前記情報と共に、前記検索キーワードと保存日付を保存情報としてデータベースに保存する保存手段と、前記保存情報の閲覧要求に対して、前記データベースから、前記検索キーワードに基づいた保存情報と、前記保存日付に基づいた保存情報を前記端末装置に提供する保存情報提供手段と、を具備することを特徴とする情報保存システムである。
第２の発明は、第１の発明の情報保存システムで用いられるサーバに関する発明である。
【００１１】
第３の発明は、端末装置を用いて、情報を保存する情報保存システムであって、入力された検索キーワードで検索した検索結果一覧から選択した情報を別ウインドウで表示する情報表示手段と、前記情報の保存要求に対して、前記情報と共に、前記検索キーワードと保存日付を保存情報としてデータベースに保存する保存手段と、前記保存情報の閲覧要求に対して、前記データベースから、前記検索キーワードに基づいた保存情報と、前記保存日付に基づいた保存情報を表示する保存情報表示手段と、を具備することを特徴とする情報保存システムである。
第３の発明は、端末装置は、入力された検索キーワードで検索した検索結果一覧から選択した情報を別ウインドウで表示し、情報の保存要求に対して、情報と共に、検索キーワードと保存日付を保存情報としてデータベースに保存し、保存情報の閲覧要求に対して、データベースから、検索キーワードに基づいた保存情報と、保存日付に基づいた保存情報を表示する。
【００１２】
第４の発明は、コンピュータを第２の発明のサーバとして機能させるプログラムである。
第５の発明は、コンピュータを第２の発明のサーバとして機能させるプログラムを記録した記録媒体である。
【００１３】
第６の発明は、コンピュータを第３の発明の情報保存システムとして機能させるプログラムである。
第７の発明は、コンピュータを第３の発明の情報保存システムとして機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、検索結果から必要な情報を効率的に探し、収集、保存し、保存した情報を容易に閲覧可能とする情報保存システム等を提供することができる。
【発明を実施するための最良の形態】
【００１６】
以下に、添付図面を参照しながら、本発明に係る情報保存システム等の好適な実施形態について詳細に説明する。なお、以下の説明および添付図面において、略同一の機能構成を有する構成要素については、同一の符号を付することにより重複説明を省略することにする。
【００１７】
図１は、本発明の本実施の形態に係る情報保存システム１００の概略構成を示す図である。図１に示すように、情報保存システム１００は、サーバ１０１、ユーザ１０２の端末装置１０３等が、ネットワーク１０９を介して接続されて構成される。
【００１８】
ネットワーク１０９は、インターネット、ローカルエリアネットワーク（ＬＡＮ）、社内ＬＡＮ等のネットワークであり、有線、無線を問わない。
【００１９】
サーバ１０１は、サーバコンピュータ等であり、Ｗｅｂ（Ｗｏｒｌｄ  Ｗｉｄｅ  Ｗｅｂ）サーバ１１０、情報保存サーバ１１１、情報推薦サーバ１１２等を有する。Ｗｅｂサーバ１１０は、情報検索を行う検索アプリケーション１２３を有する。情報保存サーバ１１１は、検索を行い情報を収集、保存する情報取得処理１２１と、保存した情報を閲覧する保存情報閲覧処理１２２からなる。情報推薦サーバ１１２は、リコメンデーション（ＲＥＣＯＭＭＥＮＤＡＴＩＯＮ）エンジンを用いて、保存した情報を分析し、ユーザ１０２に興味のありそうな新たな情報を選択して端末装置に提供する。
【００２０】
ユーザ１０２は、情報検索、情報参照を行う、情報保存システム１００を利用する利用者であり、端末装置１０３を有する。端末装置１０３には、Ｗｅｂブラウザが搭載される。端末装置１０３は、Ｗｅｂブラウザを介して、サーバ１０１の検索サイトにアクセスし、ユーザ１０２により入力した検索キーワード等をサーバ１０１に送信し、サーバ１０１から受け取った検索結果一覧、別ウインドウの詳細情報、保存した保存情報等を表示する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
【００２１】
次に、サーバ１０１のハードウェア構成を説明する。図２は、サーバ１０１のハードウェア構成図である。
【００２２】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２３】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２４】
記憶装置２０２には、各構成部分を駆動制御する制御プログラム３２１、アプリケーションプログラム３２２、及び取得情報データベース３０１等が格納されている。
【００２５】
これらの各プログラムコードは、制御部２０１により必要に応じて読み出されてＲＡＭに移され、ＣＰＵに読み出されて各種の手段として実行される。
【００２６】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２７】
通信制御部２０４は、通信制御装置、通信ポート等であり、ネットワーク１０９を介して、サーバ１０１と、端末装置１０３間の通信制御を行う。
【００２８】
入力部２０５は、キーボード、マウス等であり、表示部２０７（ディスプレイ）に表示された操作案内、各種処理、操作を行う。
印刷部２０６は、プリンタであり、印刷出力処理を行う。
【００２９】
次に、記憶装置２０２における情報保存システム関連のファイル配置について説明する。図３は、記憶装置２０２における情報保存システム関連のファイル配置を示す。図３に示すように、記憶装置２０２内には、取得情報データベース３０１、及び制御プログラム３２１、アプリケーションプログラム３２２等が格納されている。
【００３０】
取得情報データベース３０１は、複数の取得情報３１１を有する。取得情報３１１は、保存情報３１２、検索キーワード３１３、保存日付３１４等からなる。保存情報３１２は、検索結果から収集した情報であり、タイトル、詳細情報等を含む。検索キーワード３１３は、当該保存情報３１２を検索した際の検索キーワードである。保存日付３１４は、情報検索し、当該保存情報３１２を保存した日付である。
【００３１】
制御プログラム３２１は、サーバ１０１の各構成部分を駆動制御するプログラムである。
アプリケーションプログラム３２２は、実行可能プログラムであり、情報保存サーバ１１１、情報推薦サーバ１１２、検索アプリケーション１２３、Ｗｅｂサーバ１１０等に該当するプログラムである。
【００３２】
次に、端末装置１０３のハードウェア構成を説明する。図４は、端末装置１０３のハードウェア構成図である。
【００３３】
図４に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００３４】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３５】
記憶装置４０２（ハードディスク）には、各構成部分を駆動制御するプログラム、Ｗｅｂブラウザ等のアプリケーションプログラム等が格納されている。
【００３６】
これらの各プログラムコードは、制御部４０１により必要に応じて読み出されてＲＡＭに移され、ＣＰＵに読み出されて各種の手段として実行される。
【００３７】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００３８】
通信制御部４０４は、通信制御装置、通信ポート等であり、ネットワーク１０９を介して、端末装置１０３と、サーバ１０１間の通信制御を行う。
【００３９】
入力部４０５は、キーボード、マウス等であり、表示部４０７（ディスプレイ）に表示された操作案内、各種処理、操作を行う。
印刷部４０６は、プリンタであり、印刷出力処理を行う。
【００４０】
次に、情報保存システム１００の端末装置１０３に対する画面遷移について説明する。図５は、情報保存システム１００の画面遷移を示す。
【００４１】
図５に示すように、情報取得処理１２１は、検索入力画面５０１から検索を行って情報を収集、保存する処理であり、検索入力画面５０１が画面遷移の始まりとなり、検索入力画面５０１から、検索キーワード等を入力し、通常検索を行い、その検索結果一覧を表示する検索結果一覧画面５０２にページ遷移し、各情報を選択すると、別ウインドウで当該詳細情報を表示する詳細情報画面５０３−１、５０３−２、…等を提供される。
保存情報閲覧処理１２２は、保存情報画面５１１、５１２に遷移して保存した情報を閲覧する処理であり、検索入力画面５０１から、保存情報画面（検索キーワード基準）５１１や、保存情報画面（保存日付基準）５１２にページ遷移して、それぞれ、検索キーワード３１３に対する保存情報を表示する保存情報画面５１１、保存日付３１４に対する保存情報を表示する保存情報画面５１２等にページ遷移する。保存情報を選択すると、別ウインドウで当該保存情報３１２の詳細情報を表示する詳細情報画面５２１−１、５２１−２、…等が提供される。
【００４２】
次に、情報保存システム１００の処理の流れを説明する。図６、図７は、情報保存システム１００の情報取得処理１２１の処理手順を示すフローチャートである。図８、図９は、情報保存システム１００の保存情報閲覧処理１２２の処理手順を示すフローチャートである。
【００４３】
まず、図６、図７を参照しながら、情報取得処理１２１の処理手順を詳しく説明する。
端末装置１０３の制御部４０１は、サーバ１０１の検索サイトにアクセスし、検索要求を送信する（ステップ６０１）。
例えば、ユーザ１０２は端末装置１０３のＷｅｂブラウザからサーバ１０１の検索サイトのＵＲＬを指定してサーバ１０１にアクセスする。
【００４４】
サーバ１０１の制御部２０１は、Ｗｅｂサーバを介して、検索入力画面データを端末装置１０３に送信する（ステップ６０２）。以降、端末装置１０３とサーバ１０１との間でのデータの送受信は、ＷｅｂブラウザとＷｅｂサーバを介して行われる。
【００４５】
端末装置１０３の制御部４０１は、受け取った検索入力画面５０１を表示する（ステップ６０３）。図１０は、検索入力画面５０１と保存情報画面（検索キーワード基準）５１１を示す。
図１０に示すように、検索入力画面５０１は、検索キーワード入力フィールド１００１、推薦情報１００２、保存情報画面ボタン１００３、検索ボタン１００４等からなる。検索キーワード入力フィールド１００１に入力した検索キーワードで、サーバ１０１は、検索処理を行う。推薦情報１００２は、情報推薦サーバ１１２のリコメンデーションエンジンを用いて、取得情報データベース３０１の保存情報３１２を分析、選択した、ユーザ１０２に興味のありそうな新たな情報である。保存情報画面ボタン１００３をクリックすることにより、保存情報一覧を表示する保存情報画面（検索キーワード基準）５１１に遷移する。検索ボタン１００４をクリックすることにより、検索を実行する。
【００４６】
制御部４０１は、終了ボタン等をクリックすることにより（ステップ６０４のＹｅｓ）、終了する。
ユーザ１０２が保存情報画面ボタン１００３をクリックすることにより、保存情報画面５１１への移動を選択した場合（ステップ６０５のＹｅｓ）、保存情報閲覧処理１２２へ移行する（ステップ６０６）。保存情報閲覧処理１２２については、後述、詳しく説明する。
【００４７】
ユーザ１０２は、検索入力画面５０１の検索入力フィールド１００１に検索キーワード３１３を入力し、検索ボタン１００４をクリックすると、制御部４０１は、入力した検索キーワード３１３をサーバ１０１に送信する（ステップ６０７）。
【００４８】
サーバ１０１の制御部２０１は、受け取った検索キーワード３１３に対して検索処理を行い（ステップ６０８）、検索結果一覧を端末装置１０３に送信する（ステップ６０９）。
【００４９】
端末装置１０３の制御部４０１は、検索結果一覧画面５０２を表示する（ステップ６１０）。
図１１は、検索結果一覧画面５０２と詳細情報画面５０３の画面遷移を示す。図１１に示すように、検索結果一覧画面５０２は、タイトル１１０２とその説明等からなる複数の情報１１０１−１、１１０１−２、…の検索結果一覧からなる。各情報のタイトル１１０２−１、１１０１−２をクリックすると、それぞれ詳細情報１１０３−１、１１０３−２、…の詳細情報画面５０３−１、５０３−２を別ウインドウで表示する。
制御部４０１は、終了ボタン等をクリックすることにより（ステップ６１１のＹｅｓ）、終了する。
【００５０】
ユーザ１０２は、必要とする情報のタイトル１１０２をクリックすると、制御部４０１は、当該情報要求をサーバ１０１に送信する（ステップ７０１）。
サーバ１０１の制御部２０１は、選択した情報の詳細情報を、別ウインドウで表示するように詳細情報画面データを端末装置１０３に送信する（ステップ７０２）。
【００５１】
端末装置１０３の制御部４０１は、別ウインドウで詳細情報画面５０３を表示する（ステップ７０３）。
図１２は、詳細情報画面５０３を示す。図１２に示すように、詳細情報画面５０３は、詳細情報１１０３、保存して閉じるボタン１２０１、閉じるボタン１２０２、保存ボタン１２０３等からなる。
【００５２】
ユーザ１０２は、保存して閉じるボタン１２０１／閉じるボタン１２０２／保存ボタン１２０３をクリックした場合（ステップ７０４のＹｅｓ）、サーバ１０１の制御部２０１は、クリックされたボタンに応じた処理を行う。
保存して閉じるボタン１２０１の場合、制御部２０１は、取得情報データベース３０１に、当該情報（情報タイトル、詳細情報等）と共に、当該検索キーワード３１３、保存日付３１４等を保存し、別ウインドウの当該詳細情報画面５０３を閉じるよう送信し（ステップ７０６）、端末装置１０３の制御部４０１は、当該詳細情報画面５０３を閉じる（ステップ７０９）。
閉じるボタン１２０２の場合、制御部２０１は、別ウインドウの当該詳細情報画面５０３を閉じるよう送信し（ステップ７０７）、端末装置１０３の制御部４０１は、当該詳細情報画面５０３を閉じる（ステップ７０９）。
保存ボタン１２０３の場合、制御部２０１は、取得情報データベース３０１に、当該情報（情報タイトル、詳細情報等）と共に、当該検索キーワード、保存日付等を保存する（ステップ７０８）。
【００５３】
端末装置１０３の制御部４０１は、ステップ６１１に移行し、検索結果一覧画面５０２にページ遷移し、ステップ６１１からステップ７０９の処理を繰り返す。
【００５４】
次に、図８、図９を参照しながら、保存情報閲覧処理１２２の処理手順を詳しく説明する。
【００５５】
ユーザ１０２が保存情報画面ボタン１００３をクリックすることにより、保存情報画面５１１への移動を選択した場合（ステップ６０５のＹｅｓ）、サーバ１０１の制御部２０１は、取得情報データベース３０１から検索キーワード３１３に基づいて抽出した保存情報３１２（タイトル等）の一覧である検索キーワード基準の保存情報画面データを送信する（ステップ８０１）。
【００５６】
端末装置１０３の制御部４０１は、保存情報画面（検索キーワード基準）５１１を表示する（ステップ８０２）。
ユーザ１０２が終了か検索入力画面５０１への移動を選択する場合（ステップ８０３のＹｅｓ）、制御部４０１は、保存情閲覧処理１２２を終了する。
【００５７】
ユーザ１０２が、保存日付基準ボタン１３０１をクリックすることにより、保存情報画面（保存日付基準）５１２への移動を選択した場合（ステップ８０４のＹｅｓ）、サーバ１０１の制御部２０１は、取得情報データベース３０１から保存日付３１４に基づいて抽出した保存情報３１２（タイトル等）の一覧である保存日付基準の保存情報画面データを送信する（ステップ８０５）。端末装置１０３の制御部４０１は、保存情報画面（保存日付基準）５１２を表示する（ステップ８０６）。
【００５８】
図１３は、保存情報画面（検索キーワード基準）５１１と保存情報画面（保存日付基準）５１２を示す。
保存情報画面（検索キーワード基準）５１１は、保存情報検索フィールド（検索キーワード）１３０１と、その検索結果である複数の検索キーワード３１３毎の情報１３０３（タイトル等）からなる保存情報一覧（検索キーワード基準）１３０４、保存日付基準ボタン１３０５、検索入力画面ボタン１３０９等からなる。保存情報検索フィールド（検索キーワード）１３０１に入力した検索キーワード３１３で、サーバ１０１は、取得情報データベース３０１の保存情報３１２を検索し、保存情報一覧（検索キーワード基準）１３０４を表示する。保存日付基準ボタン１３０５をクリックすることにより、保存情報画面（保存日付基準）５１２に遷移する。検索入力画面ボタン１３０９をクリックすることにより、検索入力画面５０１に遷移する。
【００５９】
保存情報画面（保存日付基準）５１２は、保存情報検索フィールド（保存日付）１３１１と、その検索結果である複数の保存日付３１４毎の情報１３０３（タイトル等）からなる保存情報一覧（保存日付基準）１３１４、検索キーワード基準ボタン１３１５、検索入力画面ボタン１３０９等からなる。保存情報検索フィールド（保存日付）１３１１に入力した保存日付３１４で、サーバ１０１は、取得情報データベース３０１の保存情報３１２を検索し、保存情報一覧（保存日付基準）１３１４を表示する。検索キーワード基準ボタン１３１５をクリックすることにより、保存情報画面（検索キーワード基準）５１１に遷移する。
【００６０】
ユーザ１０２は、保存情報一覧（検索キーワード基準）１３０４や保存情報一覧（保存日付基準）１３１４から必要な情報１３０３を選択し、制御部４０１は、選択された情報１３０３をサーバ１０１に送信する（ステップ８０６）。
サーバ１０１の制御部２０１は、受け取った情報１３０３に応じて、取得情報データベース３０１から保存情報３１２を抽出し、別ウインドウで保存情報３１２の詳細情報画面データを端末装置１０３に送信する（ステップ８０１）。
【００６１】
端末装置１０３の制御部４０１は、保存情報３１２の詳細情報画面５２１を表示する（ステップ９０１）。
【００６２】
ユーザ１０２は、閉じるボタン／削除ボタンをクリックした場合（ステップ９０２のＹｅｓ）、サーバ１０１の制御部２０１は、クリックされたボタンに応じた処理を行う。
削除ボタンの場合（ステップ９０３）、制御部２０１は、取得情報データベース３０１の当該取得情報３１１を削除し（ステップ９０４）、別ウインドウの当該詳細情報画面５２１を閉じるよう送信する（ステップ９０５）。
閉じるボタンの場合（ステップ９０３）、制御部２０１は、別ウインドウの当該詳細情報画面５２１を閉じるよう送信する（ステップ９０５）。
【００６３】
端末装置１０３の制御部４０１は、当該詳細情報画面５２１を閉じる（ステップ９０６）。
【００６４】
制御部４０１は、ステップ８０１に移行し、ステップ８０１からステップ９０５の保存情報閲覧処理１２２を繰り返す。
【００６５】
以上説明したように、本発明の実施の形態によれば、サーバ１０１は、端末装置１０３から入力された検索キーワード３１３で検索した検索結果一覧から選択した情報を端末装置１０３に別ウインドウで提供する。また、サーバ１０１は、保存して閉じるボタン１２０１／保存ボタン１２０３による保存要求に対して、情報と共に、検索キーワード３１３と保存日付３１４を取得情報３１１として取得情報データベース３０１に保存する。サーバ１０１は、保存情報の閲覧要求に対して、取得情報データベース３０１から、検索キーワード３１３に基づいた保存情報３１２と、保存日付３１４に基づいた保存情報３１２を端末装置１０３に提供し、保存情報の検索結果一覧から選択した情報の詳細情報画面５２１を別ウインドウで提供する。更に、サーバ１０１は、取得情報データベース３０１の保存情報３１２を分析し、ユーザ１０２に興味のありそうな新たな情報を選択して端末装置１０３に提供する。
【００６６】
これにより、検索結果と詳細情報を同時に閲覧することができ、選択した詳細情報を残したまま別の詳細情報を閲覧できる。
また、詳細情報の別ウインドウに対して、「保存して閉じる」、「閉じる」、「保存」等のボタン１つで、該当処理を可能とし、従来の処理操作に比べ、情報の収集、保存処理の操作が軽減する。
また、保存した情報を表示する際、「検索キーワード」、「保存日付」等を基準にして表示することにより、ユーザの記憶から容易に閲覧することができる。
更に、保存情報を利用して新たな情報を推薦する処理により、ユーザが検索処理で検索できなかった情報等を発見することができる。保存情報は、ユーザ自身が選択した情報なので保存情報の信頼度が高く有益な情報となる。
【００６７】
尚、本実施の形態では、本情報保存システム１００のシステム構成において、サーバ１０１は、検索アプリケーション１２３を有するＷｅｂサーバ１１０、情報保存サーバ１１１、情報推薦サーバ１１２等から構成されるが、利用者の使用環境に応じて、情報推薦サーバ１１２をはずしてもよい。
【００６８】
また、本実施の形態では、本情報保存システム１００は、ユーザ１０２の端末装置１０３と、Ｗｅｂサーバ１１０（検索アプリケーション１２３）、情報保存サーバ１１１（情報取得処理１２１、保存情報閲覧処理１２２）、情報推薦サーバ１１２等を有するサーバ１０１とが、ネットワーク１０９を介して接続されているが、ユーザ１０２の端末装置１０３を用いて情報を保存する情報保存システム１４００であってもよい。
図１４は、情報保存システム１４００の概略構成を示す。図１４に示すように、情報保存システム１４００は端末装置１０３からなり、端末装置１０３は、情報保存処理手段１３０（情報取得処理１２１と保存情報閲覧処理１２２）、検索アプリケーション１２３等を有する。端末装置１０３の記憶装置４０２に、元の情報を記憶するアプリケーション情報データベース３３０、取得情報データベース３０１等を保持する。更に、情報推薦サーバ１１２に該当する情報推薦機能を組み込んだ構成であってもよい。
【００６９】
また、本実施の形態では、ＷＷＷ技術を用いて実現したが、端末装置１０３に専用のユーザプログラムを備えることにより、ＷＷＷ技術を用いずに実現することも可能である。
【００７０】
尚、図６、図７、図８、図９等に示す処理を行うプログラムはＣＤ−ＲＯＭ等の記録媒体に保持させて流通させてもよいし、このプログラムを通信回線を介して送受することもできる。
【００７１】
以上、添付図面を参照しながら、本発明に係る情報保存システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７２】
【図１】本実施の形態に係る情報保存システム１００の概略構成を示す図
【図２】サーバ１０１のハードウェア構成図
【図３】記憶装置２０２における情報保存システム関連ファイルを示す図
【図４】端末装置１０３ののハードウェア構成図
【図５】情報保存システム１００の画面遷移を示す図
【図６】情報保存システム１００の情報取得処理１２１の処理手順を示すフローチャート
【図７】情報保存システム１００の情報取得処理１２１の処理手順を示すフローチャート
【図８】情報保存システム１００の保存情報閲覧処理１２２の処理手順を示すフローチャート
【図９】情報保存システム１００の保存情報閲覧処理１２２の処理手順を示すフローチャート
【図１０】検索入力画面５０１と保存情報画面（検索キーワード基準）５１１を示す図
【図１１】検索結果一覧画面５０２と詳細情報画面５０３の画面遷移を示す図
【図１２】詳細情報画面５０３を示す図
【図１３】保存情報画面（検索キーワード基準）５１１と保存情報画面（保存日付基準）５１２を示す図
【図１４】情報保存システム１４００の概略構成を示す図
【図１５】従来の検索結果一覧画面１５０１と詳細情報画面１５０２の画面遷移を示す図
【符号の説明】
【００７３】
１００、１４００………情報保存システム
１０１………サーバ
１０２………ユーザ
１０３………端末装置
１０９………ネットワーク
１１０………Ｗｅｂサーバ
１１１………情報保存サーバ
１１２………情報推薦サーバ
１２１………情報取得処理
１２２………情報閲覧処理
２０１、４０１………制御部
３０１………取得情報データベース
３１１………取得情報
３１２………保存情報
３１３………検索キーワード
３１４………保存日付
【図１】
2005165500.tif 000003
【図２】
2005165500.tif 000004
【図３】
2005165500.tif 000005
【図４】
2005165500.tif 000006
【図５】
2005165500.tif 000007
【図６】
2005165500.tif 000008
【図７】
2005165500.tif 000009
【図８】
2005165500.tif 000010
【図９】
2005165500.tif 000011
【図１０】
2005165500.tif 000012
【図１１】
2005165500.tif 000013
【図１２】
2005165500.tif 000014
【図１３】
2005165500.tif 000015
【図１４】
2005165500.tif 000016
【図１５】
2005165500.tif 000017